(57)【特許請求の範囲】
【請求項１】
遠位端および近位端を有する磁気共鳴画像診断装置（ＭＲＤ）の長手方向軸に沿って伸びる開いた孔を有する前記ＭＲＤにおいて、前記孔は前記近位端に位置する開口によって成端し、前記孔の中に新生児の恒温装置が嵌入され、恒温装置の閉鎖アセンブリは、前記恒温装置が前記開いた孔の中に収容されるときに前記開口を密閉して閉じるように構成される前記恒温装置の閉鎖アセンブリであって、
（ｉ）遠位および近位の封止壁（両方とも前記長手方向軸に対してほぼ垂直であって、上向きそして下向きである）のアレイ、および（ｉｉ）上下に向く長さを有し、そして遠位から近位に向く幅を有する前記壁の間の凹部（前記近位壁および前記遠位壁の各々は反対方向に切り欠きを備え、そして前記凹部において、長さと幅の比率は所定の値ｎより大きい）を有する少なくとも一つのＵ字形管路を備える、恒温装置の閉鎖アセンブリ。
【請求項２】
前記管路は、突出しない方法で恒温装置の閉鎖アセンブリに接続し、これによって、前記孔と外部環境の間で直接アクセスできない、請求項１に記載の恒温装置の閉鎖アセンブリ。
【請求項３】
前記管路の切り欠きは、前記孔の内部空間から外部環境への医療機器の移動を可能にするサイズおよび形状によって構成される、請求項１に記載の恒温装置の閉鎖アセンブリ。
【請求項４】
前記長手方向軸に沿った前記管路の壁は、直線、曲線、多角形、対称形、非対称形、およびそれらのあらゆる組み合わせから成る群から選択される形状である、請求項１に記載の恒温装置の閉鎖アセンブリ。
【請求項５】
前記管路の開いた面は、前記管路の中を移動する医療機器の少なくとも一部の取り出しを、前記医療機器の端のいずれからも前記医療機器を分離せずに、可能にするサイズおよび形状によって構成される、請求項１に記載の恒温装置の閉鎖アセンブリ。
【請求項６】
前記管路の切り欠きの少なくとも一部は湾曲した形状縁から成る、請求項１に記載の恒温装置の閉鎖アセンブリ。
【請求項７】
前記管路の少なくとも一部は穿孔され、更に前記穿孔は、導波管ＲＦ減衰器として構成される長さおよび直径であり、それによって、前記ＭＲＤへの光および空気の浸入と共にＲＦ遮蔽を可能にする、請求項１に記載の恒温装置の閉鎖アセンブリ。
【請求項８】
前記管路は着脱可能なモジュールとして構成される、請求項１に記載の恒温装置の閉鎖アセンブリ。
【請求項９】
前記管路は、前記閉鎖アセンブリと前記孔の近位端の前記開口との間の境界の少なくとも一部から成る位置で前記恒温装置の閉鎖アセンブリに接続している、請求項１に記載の恒温装置の閉鎖アセンブリ。
【請求項１０】
前記位置は、前記アセンブリが前記孔から格納されるときに前記管路の中を通過する医療機器の少なくとも一部の取り出しを、前記医療機器の端のいずれからも前記医療機器を分離せずに、可能にする、請求項９に記載の恒温装置の閉鎖アセンブリ。
【請求項１１】
前記管路は、電気配線が外部環境から前記孔に通ることを可能にするように構成したＲＦフィルターを更に備える、請求項１に記載の恒温装置の閉鎖アセンブリ。
【請求項１２】
前記管路の少なくとも一部は、磁気遮蔽、ＲＦ遮蔽、物理的遮蔽、およびそれらのあらゆる組み合わせから成る群から選択される遮蔽を備える、請求項１に記載の恒温装置の閉鎖アセンブリ。
【請求項１３】
前記管路は透明材料の少なくとも一部から更に成る、請求項１に記載の恒温装置の閉鎖アセンブリ。
【請求項１４】
前記管路は、Ｘ〜ＹＭＨｚの値の範囲で高周波の通過を減衰させるサイズ、形状、および材料によって構成され、更に、ＸおよびＹの前記値は、Ｘ＞０ＭＨｚ且つＹ＜１０００ＭＨｚ、Ｘ＞０ＭＨｚ且つＹ＜５００ＭＨｚ、Ｘ＞０ＭＨｚ且つＹ＜２００ＭＨｚ、およびそれらのあらゆる組み合わせから成る群から選択される、請求項１に記載の恒温装置の閉鎖アセンブリ。
【請求項１５】
前記アセンブリは、ＭＲＩ互換の新生児の揺りかごに関連してＭＲＩ互換のカートに接続するサイズおよび形状によって構成される、請求項１に記載の恒温装置の閉鎖アセンブリ。
【発明の詳細な説明】
【技術分野】
【０００１】
本発明は、一般に磁気共鳴画像診断システム（ＭＲＩ）の分野、より詳細には、その動作の間にＲＦ導波管減衰遮蔽を維持する医療機器のための通路を備えるＭＲＩ孔の入口を密閉して閉じすることを目的とする恒温装置の閉鎖アセンブリおよびその方法に関する。
【背景技術】
【０００２】
ＭＲＩ技術は、医学的診断および研究用に患者を画像診断するために磁気および高周波を利用する。ＭＲＩのプロセスで発生する電磁干渉（ＥＭＩ）は、その近傍の他の装置、例えば医用電気装置、コンピュータ、データ転送構成要素、他の走査装置などに悪影響を及ぼす。加えて、例えば送電線、テレビおよびラジオ信号、エレベータなどのような外部ソースで発生するＥＭＩは、ＭＲＩの動作および結果を妨げることがありえる。
【０００３】
ＭＲＩサービスを提供する施設は、ＭＲＩ手順がこれらの干渉から遮蔽することができ、その一方で外部に対する同じ干渉のリークを防止する特別に設計された室を組み込む。
【発明の概要】
【発明が解決しようとする課題】
【０００４】
この遮蔽は、磁気およびＲＦ遮蔽を達成するために、受動または能動部品を含むことがありえる。例えば、ＲＦ遮蔽を達成するために、壁、床、および天井は、壁によって閉回路を維持するドアを含み、銅、アルミニウムなどのような導電性金属のシートから構築される。磁気遮蔽は、ＲＦ遮蔽物周辺に磁気遮蔽物を構成することによって施すことができる。受動的な解決策は、磁気遮蔽材料、通常は金属または金属合金を使用することが必要である。これらの材料は、「ミューメタル」のような透磁率の非常に高い材料から成ることを必要とする。第２のオプションは、通常は磁力計、コントローラ、増幅器、および補償コイルを含む能動磁気キャンセルシステムである。この解決策は、高コストになりがちであって、調整および処理を必要とする。
【０００５】
空気調節設備、電気配線、通信装置、医療機器などのようなシステムをＥＭＩ遮蔽室に入れる通路を提供するために、導波管減衰器およびＲＦフィルターのような手段が用いられる。すべての流体および空気の通過管は、ＥＭＩを減衰させるように構成される管路を通り、そしてすべての電気または導電性配線は、ＲＦの導電性配線への結合を回避するためにＲＦフィルターを通して接続される。これらの手段は、各管およびケーブルの前に構成された指定位置に対する事前の計画および事前の嵌め込みを必要とする。加えて、ケーブルおよび管をこれらの装置に通すために、それらは少なくとも一つの側から分離することを必要とする。
【０００６】
多くの患者は、ＭＲＩの間、医療支援またはモニタリングを必要とする。これらには、新生児、鎮静状態の患者、または他の医学的に不安定な患者が含まれる。ＭＲＩを受けるときにもこれらの患者の生命維持およびモニタリング状態を維持することは、きわめて重要である。医療機器を指定位置に通すためにそれを分離することは、時間がかかって、患者のストレスを引き起こすか、または内科的合併症を誘発する場合がある。患者の速い引き出しを必要とする緊急事態は、ＭＲＤから医療機器を分離する必要があることによっても妨げられる。加えて、ケーブルおよび管の数は、室の予め敷設された通路に限定される。
【０００７】
ＭＲＩスキャナーは非常に強い磁石を利用する。従って、ＭＲＩ装置の近傍に位置する鉄含有物体はＭＲＩ孔に引き込まれる。引き寄せられた鉄含有物体のため、多数の重度の事故がＭＲＩ施設で記録された。ＭＲＤ孔を医療機器の移動のために開いておくことは、発射する物体が入ることができる空間を残すということがありえる。
【０００８】
この遮蔽を損なわずに医療および生命維持機器の移動を可能にする一方で、物理的、ＥＭＩ、およびＲＦ遮蔽を提供する装置に対する長年にわたる必要がある。更に、患者のＭＲＩ手順が彼から医療およびモニタリング機器を分離せずに行なわれることを可能にする通路の必要がある。加えて、差し迫った必要の場合にはＭＲＤからの患者の迅速な解放を可能にする装置の必要がある。
【課題を解決するための手段】
【０００９】
本発明は、遠位端および近位端を有する磁気共鳴画像診断装置（ＭＲＤ）の長手方向軸に沿って伸びる開いた孔を有するＭＲＤ提供し、孔は近位端に位置する開口によって成端し、孔の中に新生児の恒温装置が嵌入され、恒温装置の閉鎖アセンブリは、恒温装置が開いた孔の中に収容されるときに開口を密閉して閉じるように構成され、閉鎖アセンブリは、（ｉ）遠位および近位の封止壁（両方とも長手方向軸に対してほぼ垂直であって、上向きそして下向きである）のアレイ、および（ｉｉ）上下に向く長さを有し、そして遠位から近位に向く幅を有する壁の間の凹部（近位壁および遠位壁の各々は反対方向に切り欠きを備え、そして凹部において、長さと幅の比率は所定の値ｎより大きい）を有する少なくとも一つのＵ字形管路を備える。
【００１０】
本発明の別の目的は、上記のように恒温装置の閉鎖アセンブリを開示することであり、そこにおいて、管路は、突出しない方法で恒温装置の閉鎖アセンブリに接続し、それによって、ＭＲＤ孔と外部環境の間で直接アクセスできない。
【００１１】
本発明の別の目的は、上記のように恒温装置の閉鎖アセンブリを開示することであり、そこにおいて、管路の切り欠きは、ＭＲＤ孔の内部空間から外部環境への医療機器の移動を可能にするサイズおよび形状により構成される。
【００１２】
本発明の別の目的は、上記のように恒温装置の閉鎖アセンブリを開示することであり、そこにおいて、長手方向軸に沿った管路壁は、直線、曲線、多角形、対称形、非対称形、およびそれらのあらゆる組み合わせから成る群から選択される形状である。
【００１３】
本発明の別の目的は、上記のように恒温装置の閉鎖アセンブリを開示することであり、そこにおいて、管路の開いた面は、機器端のいずれからも医療機器を分離せずに、管路の中を通過する医療機器の少なくとも一部の取り出しを可能にするサイズおよび形状により構成される。
【００１４】
本発明の別の目的は、上記のように恒温装置の閉鎖アセンブリを開示することであり、そこにおいて、管路の切り欠きの少なくとも一部は湾曲した形状縁から成る。
【００１５】
本発明の別の目的は、上記のように恒温装置の閉鎖アセンブリを開示することであり、そこにおいて、管路壁縁形状の少なくとも一部は滑らかに仕上げられている。
【００１６】
本発明の別の目的は、上記のように恒温装置の閉鎖アセンブリを開示することであり、そこにおいて、管路の少なくとも一部は穿孔され、更にそこにおいて、穿孔は、導波管ＲＦ減衰器として構成される長さおよび直径であり、それによって、ＭＲＤへの光および空気の浸入と共にＲＦ遮蔽を可能にする。
【００１７】
本発明の別の目的は、上記のように恒温装置の閉鎖アセンブリを開示することであり、そこにおいて、管路は、可逆的に着脱可能なモジュールとして構成される。
【００１８】
本発明の別の目的は、上記のように恒温装置の閉鎖アセンブリを開示することであり、そこにおいて、管路は、閉鎖アセンブリとＭＲＤ孔近位端の開口の間の境界の少なくとも一部から成る位置で恒温装置の閉鎖アセンブリに接続している。
【００１９】
本発明の別の目的は、上記のように恒温装置の閉鎖アセンブリを開示することであり、そこにおいて、管路位置は、アセンブリがＭＲＤ孔から格納されるときに、機器端のいずれからも機器を分離せずに、管路の中を移動する医療機器の少なくとも一部の取り出しを可能にする。
【００２０】
本発明の別の目的は、上記のように恒温装置の閉鎖アセンブリを開示することであり、そこにおいて、管路は、電気配線が外部環境からＭＲＤ孔に通ることができるように構成されるＲＦフィルターを更に備える。
【００２１】
本発明の別の目的は、上記のように恒温装置の閉鎖アセンブリを開示することであり、そこにおいて、管路の少なくとも一部は、磁気遮蔽、ＲＦ遮蔽、物理的遮蔽、およびそれらのあらゆる組み合わせから成る群から選択される遮蔽を備える。
【００２２】
本発明の別の目的は、上記のように恒温装置の閉鎖アセンブリを開示することであり、そこにおいて、管路は透明材料の少なくとも一部から更に成る。
【００２３】
本発明の別の目的は、上記のように恒温装置の閉鎖アセンブリを開示することであり、そこにおいて、管路は、Ｘ〜ＹＭＨｚの値の範囲で高周波の通過を減衰させるサイズ、形状、および材料により構成され、更にそこにおいて、ＸおよびＹの値は、Ｘ＞０ＭＨｚ且つＹ＜１０００ＭＨｚ、Ｘ＞０ＭＨｚ且つＹ＜５００ＭＨｚ、Ｘ＞０ＭＨｚ且つＹ＜２００ＭＨｚ、およびそれらのあらゆる組み合わせから成る群から選択される。
【００２４】
本発明の別の目的は、上記のように恒温装置の閉鎖アセンブリを開示することであり、そこにおいて、壁のうちの少なくとも一つは、定位置にとどまる長手方向壁に機動的に接続している。
【００２５】
本発明の別の目的は、上記のように恒温装置の閉鎖アセンブリを開示することであり、そこにおいて、アセンブリは、ＭＲＩ互換の新生児の揺りかごに関連してＭＲＩ互換のカートに接続するサイズおよび形状により構成される。
【００２６】
本発明は、ＲＦ遮蔽管路を設けることによって、ＭＲＤをその外部環境によって生じるＥＭＩからＲＦ遮蔽し、そして外部環境をＭＲＤによって生じるＥＭＩからＲＦ遮蔽する方法を提供する。この方法は、（ａ）ＭＲＤ、および少なくとも一つのＵ字形ＲＦ遮蔽管路を備えた恒温装置の閉鎖アセンブリに接続する恒温装置を得る工程であって、管路は、（ｉ）遠位および近位の封止壁（両方とも長手方向軸に対してほぼ垂直であって、上向きそして下向きである）のアレイ、および（ｉｉ）上下に向く長さおよび遠位から近位に向く幅を有する壁の間の凹部（近位壁および遠位壁の各々は反対方向に切り欠きを備え、そして凹部において、長さと幅の比率は所定の値ｎより大きい）を有する工程、（ｂ）患者を収容している恒温装置をＭＲＤ孔に嵌め込み、それによって、ＭＲＤ孔を恒温装置の閉鎖アセンブリで閉じる工程、（ｃ）患者を画像診断し、恒温装置を引き出すことによってＭＲＩ孔を開く工程、および（ｄ）患者を引き出す工程を含み、そこにおいて、管路は、突出しない方法で恒温装置の閉鎖アセンブリに接続し、それによって、ＭＲＤ孔と外部環境の間で直接アクセスできない。
【００２７】
本発明は、（ｉ）遠位および近位の封止壁（両方とも長手方向軸に対してほぼ垂直であって、上向きそして下向きである）のアレイ、および（ｉｉ）上下に向く長さおよび遠位から近位に向く幅を有する壁の間の凹部を有するＵ字形管路を備える恒温装置の閉鎖アセンブリを製造する方法を提供する。この方法は、（ａ）恒温装置の閉鎖アセンブリを得る工程、（ｂ）中での医療機器の移動に適合するＵ字形管路の寸法を定める工程、（ｃ）長さと幅の比率が所定の値ｎより大きいように、凹部を定める工程、（ｄ）管路を形成する工程、（ｅ）管路の遠位および近位の壁の反対方向に切り欠きを形成する工程、および（ｆ）開いた長手方向面が外部環境の方へ開いているように、管路を恒温装置の閉鎖アセンブリに接続する工程を含み、そこにおいて、管路は、突出しない方法で恒温装置の閉鎖アセンブリに接続し、それによって、ＭＲＤ孔と外部環境の間で直接アクセスできない。
【００２８】
本発明は、遠位端および近位端を有する磁気共鳴画像診断装置（ＭＲＤ）の長手方向軸に沿って伸びる開いた孔を有するＭＲＤを密閉して閉じるように構成される恒温装置の閉鎖アセンブリを提供することによって特徴づけられる、ＲＦをＭＲＤに且つＭＲＤからリークしないで、接続された医療機器を分離せずに患者をＭＲＤにワンステップで出し入れすることをさらに可能にする、医療機器に接続する、恒温装置の中に入れられた患者を磁気共鳴画像診断するための看護プロトコルの標準を提供し、孔は近位端にある開口によって成端し、恒温装置が開いた孔の中に収容されるとき、それに新生児の恒温装置は嵌め込まれ、閉鎖アセンブリは、（ｉ）遠位および近位の封止壁（両方とも長手方向軸に対してほぼ垂直であって、上向きそして下向きである）のアレイ、および（ｉｉ）上下に向く長さおよび遠位から近位に向く幅を有する壁の間の凹部（近位壁および遠位壁の各々は反対方向に切り欠きを備え、そして凹部において、長さと幅の比率は所定の値ｎより大きい）を有するＵ字形管路を備え、そこにおいて、以下のうちの少なくとも一つは当てはまる。すなわち（ａ）緊急時のＭＲＤからの患者のマルチステップでの引き出しによる患者の合併症の平均数は、恒温装置の閉鎖アセンブリを利用するときのｚ倍より大きい（ｚは１．０５以上である）、（ｂ）医療機器を患者に着脱することによるＭＲＤ関連患者の合併症の平均数は、恒温装置の閉鎖アセンブリを利用するときのｉ倍より大きい（ｉは１．０５以上である）、（ｃ）製造業者、取扱者、ユーザ、オペレータ、医療職員、医療施設、医療施設管理、または恒温装置の閉鎖アセンブリを利用するときのそれらのあらゆる組み合わせから成る群から選択される保険クレームの平均数は、患者のＭＲＩ関連保険クレームのｍ倍より小さい（ｍは１．０５以上である）、（ｄ）恒温装置の閉鎖アセンブリを利用するときのＥＭＩによって生じる人為現象による繰り返されるＭＲＩの平均数は、繰り返されるＭＲＩの平均数のｐ倍より小さい（ｐは１．０５以上である）、（ｅ）恒温装置の閉鎖アセンブリを利用するときにＭＲＩの間に医療機器に干渉するＥＭＩの報告された事件の平均数は、ＭＲＩの間に医療機器に干渉するＥＭＩの報告された事件の平均数のｓ倍より小さい（ｓは１．０５以上である）、（ｆ）恒温装置の閉鎖アセンブリを利用するときにＭＲＩの間に患者の唾液コルチゾールの平均レベルにより測定される患者の平均ストレス・レベルは、ＭＲＩの間の患者の平均ストレス・レベルのｔ倍より小さい（ｔは１．０５以上である）、（ｇ）ＥＭＩによって生じるＭＲＤ画像の人為現象による患者の合併症の平均数は、恒温装置の閉鎖アセンブリを利用するときのｒ倍より大きい（ｒは１．０５以上である）、（ｈ）医療機器に干渉するＥＭＩによる患者の合併症の平均数は、恒温装置の閉鎖アセンブリを利用するときのｕ倍より大きい（ｕは１．０５以上である）、そして（ｉ）画像診断装置に干渉するＥＭＩ事件の平均数は、恒温装置の閉鎖アセンブリを利用するときのｗ倍より大きい（ｗは１．０５以上である）。
【００２９】
好ましい実施形態についての以下の詳細な説明において、本明細書の一部を形成して、本発明を実施できる特定の実施形態として示す添付図面が参照される。他の実施形態を利用することができて、構造変化を本発明の範囲を逸脱せずに行なうことができるものと理解される。本発明は、これらの具体的な詳細の一部または全部なしで請求項に従って実施できる。明確にするために、本発明が不必要に曖昧にしないように、本発明に関連した技術分野において公知である技術資料は詳述されていない。
【図面の簡単な説明】
【００３０】
【図１Ａ】Ｕ字形管路の実施形態の略側面図である。
【図１Ｂ】Ｕ字形管路の実施形態の略側面図である。
【図１Ｃ】Ｕ字形管路の実施形態の略側面図である。
【図１Ｄ】長手方向軸壁の実施形態を示す、Ｕ字形管路の実施形態の略斜視図である。
【図１Ｅ】長手方向軸壁の実施形態を示す、Ｕ字形管路の実施形態の略斜視図である。
【図１Ｆ】長手方向軸壁の実施形態を示す、Ｕ字形管路の実施形態の略斜視図である。
【図２Ａ】ケーブル保持クリップの実施形態の略側面図を示す、Ｕ字形管路の側面の実施形態の略図である。
【図２Ｂ】ケーブルおよび管の保持具の略側面図を示す、Ｕ字形管路の側面の実施形態の略図である。
【図２Ｃ】湾曲した滑らかな縁を有する開口の略斜視図を示す、Ｕ字形管路の実施形態の略図である。
【図２Ｄ】管路の壁の動きを可能にするヒンジ様構造の略斜視図を示す、Ｕ字形管路の実施形態の略図である。
【図３Ａ】管路（１００）の実施形態の略斜視図である。
【図３Ｂ】閉鎖アセンブリの矩形の実施形態の横の輪郭に沿った管路の構成の実施形態の略図である。
【図３Ｃ】着脱可能なモジュールとして接続するのに適している管路の実施形態の略図である。
【図３Ｄ】管路の切り欠きの実施形態、およびそれらを通る管の配置の略図である。
【図３Ｅ】管路の切り欠きの実施形態、および管路の底部開口を通る管の配置の略図である。
【図４Ａ】ＭＲＤ孔のための閉じるアセンブリの実施形態により設置された新生児の恒温装置に接続しているＭＲＩカートの一実施形態の略全体側面図である。
【図４Ｂ】図３Ａの領域Ａをより詳細に示す閉鎖アセンブリの実施形態の略図である。
【図５Ａ】閉じるアセンブリの円形の実施形態の略図である。
【図５Ｂ】閉鎖アセンブリの円形の実施形態の一部としての管路の略図である。
【発明を実施するための形態】
【００３１】
好ましい実施形態についての以下の詳細な説明において、本明細書の一部を形成して、本発明を実施できる特定の実施形態として示す添付図面が参照される。他の実施形態を利用することができて、構造変化を本発明の範囲を逸脱せずに行なうことができるものと理解される。本発明は、これらの具体的な詳細の一部または全部なしで請求項に従って実施できる。明確にするために、本発明が不必要に不明瞭しないように、本発明に関連した技術分野において公知である技術資料は詳述されていない。本発明は、ＭＲＩ孔のための閉鎖アセンブリに医療機器の通過を容易にする手段を提供する。
【００３２】
本発明の本質は、遠位および近位の封止壁（両方とも長手方向軸に対してほぼ垂直であって、上向きそして下向きである）のアレイ、および（ｉｉ）上下に向く長さおよび遠位から近位に向く幅を有する壁の間の凹部（近位壁および遠位壁の各々は反対方向に開口を有し、そして凹部において、長さと幅の比率は所定の値ｎより大きい）を有するＵ字形（例えば、Ｕ字形状、Ｃ字形状、Ｗ字形状など）管路を備えるＭＲＤ孔の入口を密閉して閉じることを目的とする恒温装置の閉鎖アセンブリを提供することである。
【００３３】
本発明は更に、ＭＲＩ動作の間に外部空間に対するＥＭＩ遮蔽を維持すると共に、医療機器の外部環境からＭＲＤの内側ボリュームへの移動を可能にする恒温装置の閉鎖アセンブリを提供する。
【００３４】
本発明は更に、医療装置のデータがＥＭＩから保護されるように、ＭＲＩの間、患者のより良好な監視およびモニタリングを提供する。更にまた、本発明は、画像診断中またはその前後に医療機器を分離せずに患者を磁気共鳴画像診断するための手段および方法を提供する。これは、患者の安全および健康を更に高める。本発明の恒温装置の閉鎖アセンブリは更に、患者が医療機器に接続されているにもかかわらず、ＭＲＤの開いた孔を閉じることを提供する。閉鎖アセンブリがＭＲＤ孔を閉じるので、これは患者を発射される強磁性体から保護する。
【００３５】
用語「磁気共鳴画像診断装置」（ＭＲＤ）は、以下、具体的には、あらゆる磁気共鳴画像診断（ＭＲＩ）装置、あらゆる核磁気共鳴（ＮＭＲ）分光器、あらゆる電子スピン共鳴（ＥＳＲ）分光器、あらゆる核四重極共鳴（ＮＱＲ）、またはあらゆるそれらの組み合わせに当てはまる。本発明で、用語はまた、コンピュータ断層撮影（ＣＴ）、超音波（ＵＳ）などのような、関心ボリュームを備えるその他の分析および画像処理機器にも当てはまる。本明細書に開示されるＭＲＤは、任意に携帯用ＭＲＩ装置、例えば、ＡＳＰＥＣＴ−ＭＲ社から市販されている装置、または市販の非携帯装置である。
【００３６】
用語「閉孔ＭＲＩ」は、以下、ＭＲＩ磁石の中に大きな円筒形状管を備えているＭＲＩスキャナーを指す。
【００３７】
用語「ＭＲＤ孔」は、以下、患者を収容するように設計されているＭＲＩスキャナーの大きな実質的に円筒形の管を互換的に指す。
【００３８】
用語「ＭＲＤ孔の内部空間」は、以下、ＭＲＩ孔の内部ボリュームを指す。
【００３９】
用語「外部環境」は、以下、ＭＲＩスキャナーの外側の外部空間を指す。
【００４０】
用語「閉鎖アセンブリ」は、以下、ＭＲＩ孔開口を少なくとも部分的に閉じるように構成されるあらゆるアセンブリを互換的に指す。好ましくは、実質的に円筒形の孔の少なくとも一つの開いた面をカバーする、閉じる、閉鎖するなどにより、ＭＲＤ孔の内部空間と外部環境の間に少なくとも部分的な仕切りを形成する。用語「閉鎖アセンブリ」は、更に、閉鎖アセンブリ、閉じるアセンブリ、閉塞アセンブリ、カバーアセンブリ、バリングアセンブリ、封止アセンブリ、仕切り、境界アセンブリ、保護アセンブリなどのような用語と交換可能である。
【００４１】
用語「ｎの値」は、以下、管路の凹部の長さ（ｌ）と幅（ｗ）の比率の数値を互換的に指し、更に、ｎの数値は、２．５＜ｎ＜６、４＜ｎ＜６、４＜ｎ＜９、およびそれらのあらゆる組み合わせから成る群から選択される。
【００４２】
用語「患者」は、以下、新生児、赤ん坊、乳児、幼児、子供、青年、成人、年輩者などの群から選択される用語を互換的に指し、更に、この用語は人または動物を指す。
【００４３】
用語「医療機器」は、以下、患者に関連して医療スタッフにより用いられる、すべての装置、ケーブル、管、コネクタ、ワイヤー、液体キャリア、針、センサーなどを互換的に指す。この医療機器は、さまざまな目的、例えば、生命維持、換気、温度調節、ＭＲＩコントラス溶液注入、心臓および呼吸率のモニタリング、患者を看ること、流体輸送などのために用いられる。
【００４４】
用語「ケーブル」は、以下、すべてのコネクタ、ワイヤー、コード、線、チェーン、チャネル、ダクト、ケーブル組紐などを互換的に指す。
【００４５】
用語「管」は、以下、すべての中空コネクタ、ケーブル、ワイヤー、線などを互換的に指す。通常、流体または空気を転送するために使用する。
【００４６】
用語「接続している」は、以下、閉鎖アセンブリ部品およびモジュールに関して、閉じるアセンブリ部品の互いに対する、且つ第三者に対するあらゆる接触、関係、関連、統合、相互接続、接合、混交、配置、ネスティング、階層化などを互換的に指す。
【００４７】
用語「透明材料」は、以下、材料、例えば、ポリメタクリル酸メチル、熱可塑性ポリウレタン、ポリエチレン、ポリエチレンテレフタレート、イソフタル酸変性ポリエチレンテレフタレート、グリコール変性ポリエチレンテレフタレート、ポリプロピレン、ポリスチレン、アクリル、ポリアセテート、酢酸セルロース、ポリカーボネート、ナイロン、ガラス、ポリ塩化ビニルなどに互換的を指す。更に、この材料の少なくとも一部は、金属ワイヤーのような強度および／または導電率を求めて非透明材料によって埋め込むことができる。
【００４８】
用語「機器端」は、以下、遠位端および近位端を有する長手方向軸を有するあらゆる機器を指す。非限定的な例としてのこれは、それらの遠位端で患者に、且つそれらの近位端で装置本体に接続される管を備える医療生命維持またはモニタリング機器のようなものである。
【００４９】
用語「視覚インジケータ」は、以下、約３８０ｎｍ〜約７４０ｎｍの可視光範囲の光の表示を互換的に指す。より一般的には、用語は、本発明のユーザの目に見える可視範囲内のあらゆる光（光、閃光、明滅光、点滅光、光の色のスペクトルの変化）を指す。
【００５０】
用語「聴覚インジケータ」は、以下、通常は電圧としての音の表示を互換的に指す。聴覚インジケータは、およそ２０〜２０，０００Ｈｚ（人間の聴覚の限界）の音声周波数範囲内の周波数を有する。聴覚インジケータは直接合成できるか、あるいはトランスデューサ、例えば、マイクロホン、楽器ピックアップ、レコードプレーヤのカートリッジ、またはテープヘッドから生じることがありえる。
【００５１】
用語「感覚インジケータ」は、以下、ユーザが感じることができるユーザ・インタフェースの少なくとも一部の物理的運動（動揺、振動、揺れ、その他）を互換的に指す。
【００５２】
用語「アンカー」は、以下、例えば医療機器、医療機器のケーブルおよび管、電気機器、電気ケーブルなどの位置を保持することが可能である機構、例えば、締着具、ドロー・ラッチ、ロック、ベルト、ボルト、グリップ、バー、ボンド、クランプ、締金、コネクション、治具、リンク、フック、掛け金、バックル、ハーネス、クリップ、スナップ、ピン、釘、四爪アンカー、バンド、キャッチ、ピン挿入、管、ケーブル・タイ、糸、プラスチックまたはナイロン拘束、凹型グローブなどを互換的に指す。
【００５３】
用語「配置」は、以下、一つまたは複数のケーブル、管、または両方とも配置する位置を互換的に指す。これは、クリップ、キャッチ、締金、ストリップ、ネスト、ソケット、へこみ、ダクト、チャネル、ブリッジ、バンド、クランプ、ハーネス、凹形状、クレータ、すきま、ポケット、空洞などの手段により達成される。
【００５４】
用語「モジュール」は、以下、閉鎖アセンブリから着脱する（可逆的に接続する）ことが可能な、構造的に独立した部分を互換的に指す。このモジュールは、恒温装置に対して、それ自体で、またはその輪郭の別の要素により接続されるか、埋め込まれるか、組み込まれるか、配置されるか、相互接続される。
【００５５】
用語「電磁干渉」は、以下、あらゆる電気回路または画像診断装置、例えばＭＲＤ、ＮＭＲ、ＥＳＲ、ＮＱＲ、ＣＴ、ＵＳなどに影響を及ぼす、電磁放射、電磁誘導、磁気、静電界などに由来した、電磁干渉（ＥＭＩ）および高周波干渉（ＲＦＩ）を互換的に指す。この干渉は、あらゆる自然または人工のソース、例えば地球磁場、大気のノイズ、移動する金属の塊、送電線、地下鉄、セルラー方式通信機器、電気装置、ＴＶおよび無線局、エレベータなどに由来する。この干渉は、回路または装置の有効な性能を遮断し、妨害し、低下し、制限し、誤ったデータを生じることがありえる。
【００５６】
用語「電磁遮蔽」は、以下、導電性材料または磁性材料でできている障壁で界をブロックすることによって、空間の電磁界を低減させることを目的とする実施または装置を指す。遮蔽は、電波、電磁界、および静電界の影響を減らすことができる。遮蔽は、通常は、外部環境から装置を分離するために、そしてケーブルが動作する環境からワイヤーを分離するためにケーブルに適用される。
【００５７】
用語「磁気遮蔽」は、以下、空間の磁界を減らすことを目的とする実施または装置を互換的に指す。これは、通常、磁気遮蔽を示して、ニッケル含有合金のような合金を含む高い透磁率且つ低い保磁度の金属合金を利用することにより達成される。
【００５８】
用語「アクティブ磁気遮蔽」は、以下、空間の磁界をアクティブに減らすことを目的とする実施または装置を指す。これは、通常、ボリューム内の周囲界を相殺するために電磁石によって発生する界を利用することにより達成される。このシステムは、通常、マヌーバラブル・コイル、磁界検出器、およびフィードバック・システムから成る。
【００５９】
用語「ＲＦ遮蔽」は、以下、高周波電磁放射を遮断する電磁遮蔽を指す。
【００６０】
用語「ＲＦフィルター」用語は、以下、ＭＨｚ〜ＧＨｚの周波数範囲の信号をフィルターに通すように設計される部品を互換的に指す。この周波数範囲は、ほとんどの放送ラジオ、テレビ、無線通信によって使われる範囲である。これらの部品は、送受信される信号についてある種のフィルタリングを行う。フィルターは、ワッフルアイアン型フィルター、機械式ＲＦフィルターなどのような能動または受動である。ＲＦフィルターは、通常、ＥＭＩが導電配線に結合しないことを確実にするために、電線をＭＲＤ筐体に出し入れする必要があるときに配置される。これらのフィルターは、インダクタとコンデンサの組合せのような受動部品でありえる。
【００６１】
用語「ＲＦ減衰特性」は、以下、規定されたＲＦ波の通過を許容しない特性を互換的に指す。これは、ＲＦを減衰させるように設計された導波管、ＲＦフィルターなどのような手段によって達成できる。
【００６２】
用語「導波管カットオフ」用語は、以下、システムの中を流れるエネルギーが、減り始める、減衰し始める、または通過するよりはむしろ反射し始めるシステムの周波数応答の限界を互換的に指す。
【００６３】
用語「カットオフ周波数」（ｆｃ）は、以下、導波管がそれを超えてもはや事実上ＥＭＩを含まない周波数を互換的に指す。
【００６４】
用語「接続している」は、以下、恒温装置の閉鎖アセンブリおよび管路部品およびモジュールに関して、閉鎖アセンブリ部品の互いに対する、且つ第三者に対するあらゆる接触、関係、関連、統合、相互接続、接合、混交、配置、ネスティング、階層化などを互換的に指す。
【００６５】
用語「複数」は、以下、整数ａ（ａ＞１）を互換的に指す。
【００６６】
用語「ＲＦ検出システム」は、以下、所定のＲＦ波の存在を検出して、警報を出すように設計されたシステムを互換的に指す。このシステムは、通常は、アンテナのようなセンサー、およびインジケータを含む。
【００６７】
本発明の一実施形態によれば、遠位端および近位端を有する磁気共鳴画像診断装置（ＭＲＤ）の長手方向軸に沿って伸びる開いた孔を有するＭＲＤにおいて、孔は近位端に位置する開口によって成端し、そこに新生児の恒温装置が嵌入され、恒温装置が開いた孔の中に収容されるときに、恒温装置の閉鎖アセンブリは開口を密閉して閉じるように構成され、閉鎖アセンブリは、（ｉ）遠位および近位の封止壁（両方とも長手方向軸に対してほぼ垂直であって、上向きそして下向きである）のアレイ、および（ｉｉ）上下に向く長さを有し、そして遠位から近位に向く幅を有する壁の間の凹部（近位壁および遠位壁の各々は反対方向に切り欠きを備え、そして凹部において、長さと幅の比率は所定の値ｎより大きい）を有する少なくとも一つのＵ字形管路を備える。
【００６８】
本発明の別の実施形態によれば、上記の恒温装置の閉鎖アセンブリが開示され、そこにおいて、恒温装置の閉鎖アセンブリが閉構成にあるときに、管路の少なくとも一部は、ＭＲＤの開いた孔の少なくとも一部に面する。
【００６９】
本発明の別の実施形態によれば、上記の恒温装置の閉鎖アセンブリが開示され、そこにおいて、凹部の長手方向軸の開いた面は外部環境に向かって開いている。
【００７０】
本発明の別の実施形態によれば、上記の恒温装置の閉鎖アセンブリが開示され、そこにおいて、切り欠きは、管路の対向壁において平行移動した位置に配置され、それによって、互いに直接面しない。
【００７１】
本発明の別の実施形態によれば、上記の恒温装置の閉鎖アセンブリが開示され、そこにおいて、管路は、突出しない方法で恒温装置の閉鎖アセンブリに接続し、それによって、ＭＲＤ孔と外部環境の間で直接アクセスできない。
【００７２】
本発明の別の実施形態によれば、上記の恒温装置の閉鎖アセンブリが開示され、そこにおいて、管路の凹部は、ＭＲＤ孔の内部空間から外部環境への医療機器の移動ができるようにするサイズおよび形状により構成される。
【００７３】
本発明の別の実施形態によれば、上記の恒温装置の閉鎖アセンブリが開示され、そこにおいて、管路の切り欠きは、ＭＲＤ孔の内部空間から外部環境への医療機器の移動ができるようにするサイズおよび形状により構成される。
【００７４】
本発明の別の実施形態によれば、上記の恒温装置の閉鎖アセンブリが開示され、そこにおいて、管路の凹部および切り欠きは、ケーブル、管、およびそれらのあらゆる組み合わせから成る群から選択される少なくとも一つの管路の中でＭＲＤ孔の内部空間から外部環境への移動ができるようにするサイズおよび形状により構成される。
【００７５】
本発明の別の実施形態によれば、上記の恒温装置の閉鎖アセンブリが開示され、そこにおいて、管路の凹部および切り欠きは、ケーブル、管、または両方の複数の形状およびサイズの管路の中で移動ができるようにするサイズおよび形状により構成される。
【００７６】
本発明の別の実施形態によれば、上記の恒温装置の閉鎖アセンブリが開示され、そこにおいて、管路は、管路の中を移動する各ケーブル、管、または両方のための少なくとも一つの指定された取り付け具を更に備える。
【００７７】
本発明の別の実施形態によれば、上記の恒温装置の閉鎖アセンブリが開示され、そこにおいて、指定された取り付け具は、凹部、切り欠き、壁、およびそれらのあらゆる組み合わせから成る群から選択される管路の中の位置で接続される。
【００７８】
本発明の別の実施形態によれば、上記の恒温装置の閉鎖アセンブリが開示され、そこにおいて、少なくとも一つの指定された取り付け具はラベルをつけられる。
【００７９】
本発明の別の実施形態によれば、上記の恒温装置の閉鎖アセンブリが開示され、そこにおいて、管路は、少なくとも一つのケーブルおよび管のアンカーを管路の中に更に備える。
【００８０】
本発明の別の実施形態によれば、上記の恒温装置の閉鎖アセンブリが開示され、そこにおいて、アンカーは、凹部、切り欠き、壁、およびそれらのあらゆる組み合わせから成る群から選択される管路の中の位置で接続される。
【００８１】
本発明の別の実施形態によれば、上記の恒温装置の閉鎖アセンブリが開示され、そこにおいて、Ｕ字形形状は、湾曲したＵ字形形状、多角形のＵ字形形状、対称形のＵ字形形状、非対称形のＵ字形形状、およびそれらのあらゆる組み合わせから成る群から選択される。
【００８２】
本発明の別の実施形態によれば、上記の恒温装置の閉鎖アセンブリが開示され、そこにおいて、長手方向軸に沿った管路壁は、直線、曲線、多角形、対称形、非対称形、およびそれらのあらゆる組み合わせから成る群から選択される形状である。
【００８３】
本発明の別の実施形態によれば、上記の恒温装置の閉鎖アセンブリが開示され、そこにおいて、管路の開いた面は、機器端のいずれからも機器を分離せずに、医療機器の取り出しを可能にするサイズおよび形状により構成される。
【００８４】
本発明の別の実施形態によれば、上記の恒温装置の閉鎖アセンブリが開示され、そこにおいて、管路の切り欠き縁の少なくとも一部は湾曲した形状から成る。
【００８５】
本発明の別の実施形態によれば、上記の恒温装置の閉鎖アセンブリが開示され、そこにおいて、管路壁縁形状の少なくとも一部は、滑らかに仕上げられている。
【００８６】
本発明の別の実施形態によれば、上記の恒温装置の閉鎖アセンブリが開示され、そこにおいて、管路の少なくとも一部は穿孔され、更にそこにおいて、穿孔は、導波管ＲＦ減衰器として構成される長さおよび直径であり、それによって、ＭＲＤへの光および空気の浸入と共にＲＦ遮蔽を可能にする。
【００８７】
本発明の別の実施形態によれば、上記の恒温装置の閉鎖アセンブリが開示され、そこにおいて、管路は着脱可能なモジュールとして構成される。
【００８８】
本発明の別の実施形態によれば、上記の恒温装置の閉鎖アセンブリが開示され、そこにおいて、管路は、閉鎖アセンブリとＭＲＤ孔近位端の開口の間の境界の少なくとも一部から成る位置で恒温装置の閉鎖アセンブリに接続している。
【００８９】
本発明の別の実施形態によれば、上記の恒温装置の閉鎖アセンブリが開示され、そこにおいて、管路位置は、機器端のいずれからも機器を分離せずに、アセンブリがＭＲＤ孔から格納されるときに機器の取り出しを可能にする。
【００９０】
本発明の別の実施形態によれば、上記の恒温装置の閉鎖アセンブリが開示され、そこにおいて、管路はＲＦフィルターを更に備え、それによって、電気配線が外部環境からＭＲＤ孔に通ることができるようにする。
【００９１】
本発明の別の実施形態によれば、上記の恒温装置の閉鎖アセンブリが開示され、そこにおいて、管路の少なくとも一部は、磁気遮蔽、ＲＦ遮蔽、物理的遮蔽、およびそれらのあらゆる組み合わせから成る群から選択される遮蔽を備える。
【００９２】
本発明の別の実施形態によれば、上記の恒温装置の閉鎖アセンブリが開示され、そこにおいて、管路の少なくとも一部は電磁気導電材料でできている。
【００９３】
本発明の別の実施形態によれば、上記の恒温装置の閉鎖アセンブリが開示され、そこにおいて、管路は透明材料の少なくとも一部から更に成る。
【００９４】
本発明の別の実施形態によれば、上記の恒温装置の閉鎖アセンブリが開示され、そこにおいて、管路は、Ｘ〜ＹＭＨｚの値の範囲で高周波の通過を減衰させるサイズ、形状、および材料により構成され、更にそこにおいて、ＸおよびＹの値は、Ｘ＞０ＭＨｚ且つＹ＜１０００ＭＨｚ、Ｘ＞０ＭＨｚ且つＹ＜５００ＭＨｚ、Ｘ＞０ＭＨｚ且つＹ＜２００ＭＨｚ、およびそれらのあらゆる組み合わせから成る群から選択される。
【００９５】
本発明の別の実施形態によれば、上記の恒温装置の閉鎖アセンブリが開示され、そこにおいて、壁のうちの少なくとも一つは、定位置にとどまる長手方向壁に機動的に接続している。
【００９６】
本発明の別の実施形態によれば、上記の恒温装置の閉鎖アセンブリが開示され、そこにおいて、管路はＲＦ検出器システムを更に備える。更にそこにおいて、ＲＦ検出システムは、聴覚、感覚、視覚、およびそれらのあらゆる組み合わせから成る群から選択されたインジケータを備える。
【００９７】
本発明の別の実施形態によれば、上記の恒温装置の閉鎖アセンブリが開示され、そこにおいて、アセンブリは、ＭＲＩ互換の新生児の揺りかごに関連してＭＲＩ互換のカートに接続するサイズおよび形状により構成される。
【００９８】
本発明の別の実施形態によれば、少なくとも一つの管路伸縮壁を備える、上記の恒温装置の閉鎖アセンブリが開示され、そこにおいて、凹部の幅と長さの間の定量が所定の値ｎより大きいままである限り、壁は、凹部の幅、長さ、または高さの変化を可能にする。
【００９９】
本発明は、恒温装置の閉鎖アセンブリに接続する管路を備える、上記の恒温装置の閉鎖アセンブリを更に提供し、そこにおいて、凹部の長手方向軸の開いた面が外部環境に向かって開かれて、壁のうちの少なくとも１つが閉鎖アセンブリに接続するように、接続は構成されて、それによって、ケーブル、ワイヤー、または両方の配置は、それらを開口部に通す必要なしに管路に沿ってそれらを配置することを可能にする。
【０１００】
本発明の別の実施形態によれば、上記の恒温装置の閉鎖アセンブリが開示され、そこにおいて、管路は、恒温装置の閉鎖アセンブリに突出しない方法で接続される。管路の対向側の切り欠きが互いに直接対向して配置されないときに、これは達成される。それによって、ＭＲＤ孔と外部の間で直接アクセスできない。
【０１０１】
本発明の別の実施形態によれば、管路を備える、上記の恒温装置の閉鎖アセンブリが開示され、そこにおいて、管路の開いた面は、十分に広く、そして医療機器に直接アクセスできて、機器端のいずれからも機器を分離せずに、機器を取り出すことも可能である形状である。
【０１０２】
本発明の別の実施形態によれば、管路に接続する工程をさらに含む、上記の恒温装置の閉鎖アセンブリが開示され、そこにおいて、恒温装置の閉鎖アセンブリが閉構成にあるときに、管路の少なくとも一部は、ＭＲＤの開いた孔の少なくとも一部に面している。
【０１０３】
本発明の別の実施形態によれば、管路の対向壁の切り欠きを平行移動した位置に配置し、それによって、互いに直接面しない工程をさらに含む、上記の恒温装置の閉鎖アセンブリが開示される。
【０１０４】
本発明の別の実施形態によれば、ＭＲＤ孔の内部空間から外部環境への医療機器の移動を可能にするサイズおよび形状によって管路を構成する工程をさらに含む、上記の恒温装置の閉鎖アセンブリが開示される。
【０１０５】
本発明の別の実施形態によれば、ＭＲＤ孔の内部空間から外部環境への医療機器の移動を可能にするサイズおよび形状によって管路の切り欠きを構成する工程をさらに含む、上記の恒温装置の閉鎖アセンブリが開示される。
【０１０６】
本発明の別の実施形態によれば、ケーブル、管、およびそれらのあらゆる組み合わせから成る群から選択される少なくとも一つの管路の中でＭＲＤ孔の内部空間から外部環境への移動ができるようにするサイズおよび形状によって管路の凹部および切り欠きを構成する工程をさらに含む、上記の恒温装置の閉鎖アセンブリが開示される。
【０１０７】
本発明の別の実施形態によれば、上記の恒温装置の閉鎖アセンブリが開示され、そこにおいて、管路の凹部は、ＭＲＤの内部空間から外部環境への医療機器の配置および移動を可能にするために、広く、長く、そして深い。
【０１０８】
本発明の別の実施形態によれば、管路の凹部を備える、上記の恒温装置の閉鎖アセンブリが開示され、そこにおいて、凹部は、医療機器装置、例えば輸液バッグ、生命維持装置、転送される流体用の測定装置を保持する。
【０１０９】
本発明の別の実施形態によれば、管路を備える、上記の恒温装置の閉鎖アセンブリが開示され、そこにおいて、管路は、恒温装置の閉鎖アセンブリの遮蔽、例えばＥＭＩ遮蔽、ＲＦ遮蔽、および物理的遮蔽を保持する。
【０１１０】
ＲＦおよび磁気遮蔽構造は、高周波（ＲＦ）および／または電磁干渉（ＥＭＩ）が入るのを阻止し、そして／または防止するエンクロージャを構築する。この環境は、ＭＲＤ機器の適当な性能を確実にするのに必要である。恒温装置の閉鎖アセンブリが、ＭＲＤ孔に嵌め込まれた閉構成であるときに、それは、磁界傾斜コイルを外側のＥＭＩノイズから、そしてＭＲＩ  ＲＦ検出システムをＲＦノイズから保護する。さらに、閉構成であるときに、閉鎖アセンブリは、磁界により誘引される引き寄せられた強磁性体による物理的障壁を提供する。
【０１１１】
本発明の別の実施形態によれば、上記の恒温装置の閉鎖アセンブリが開示され、そこにおいて、管路の少なくとも一部は、高い耐衝撃性の材料でできている。この種の材料は、金属、金属合金、および複合材料、およびそれらの組合せから作ることができる。これらの複合材は、ＧＦＲＰ（ガラス繊維強化プラスチック）およびＣＦＲＰ（炭素繊維強化プラスチック）でありえる。
【０１１２】
本発明の別の実施形態によれば、上記に記載の恒温装置の閉鎖アセンブリが開示され、そこにおいて、閉鎖アセンブリはパッシブ磁気遮蔽として作用する。有効な非アクティブ磁気遮蔽を構築するために、閉鎖アセンブリおよび管路は、高い透磁率および低い保磁度を有する磁性合金、例えばいろいろなタイプのパーマロイおよびミューメタルから造ることができる。
【０１１３】
本発明の別の実施形態によれば、上記の恒温装置の閉鎖アセンブリが開示され、そこにおいて、管路を備える閉鎖アセンブリおよびそれが接続している構造は、導電回路を形成する。この配置はＲＦ遮蔽として機能を果たし、更にそこにおいて、ＲＦ遮蔽は、通常、銅、亜鉛めっき鋼、アルミニウムなどのような金属で作られる。
【０１１４】
本発明の別の実施形態によれば、上記の恒温装置の閉鎖アセンブリが開示され、そこにおいて、管路は、恒温装置の閉鎖アセンブリおよびＭＲＤの残りとともに導電サークルを閉じる。
【０１１５】
本発明の別の実施形態によれば、半透磁性障壁の少なくとも一部から成る、上記の恒温装置の閉鎖アセンブリが開示され、そこにおいて、障壁は、メッシュ、ウェブ、ネット、バー、格子、ラックなどのように構築される。恒温装置の閉鎖アセンブリが閉構成にあるときにも、これはＭＤＲ孔の中の空気循環を維持する。これらの構造は、金属または複合材料の繊維、ネット、ロッドから閉鎖アセンブリの少なくとも一部を製造することによって作ることができる。更にそこにおいて、これらの格子は、最高１ＧＨＺのカットオフ周波数を有する導波管として作用するように構成できる。
【０１１６】
本発明の別の実施形態によれば、上記の恒温装置の閉鎖アセンブリが開示され、そこにおいて、管路を備える恒温装置の閉鎖アセンブリは、円またはその他の多角形のあらゆる形状をしている。
【０１１７】
本発明の別の実施形態によれば、少なくとも一つの管路を備える、上記の恒温装置の閉鎖アセンブリが開示され、そこにおいて、管路は、円筒形状、矩形の形状、またはその他の多面的な形状を有する。
【０１１８】
本発明の別の実施形態によれば、少なくとも一つの管路を備える、上記の恒温装置の閉鎖アセンブリが開示され、そこにおいて、管路はＲＦ減衰特性を有する。これらの減衰特性は、導波管、ＲＦフィルター、導波管フィルター、およびそれらのあらゆる組み合わせによって達せられる。０〜１０００ＭＨｚ、０〜５００ＭＨｚ、または０〜２００ＭＨｚのＲＦ周波数が導波管カットオフ未満であるように、導波管減衰は構成される。ＲＦフィルターは、規定された範囲のＲＦを阻止するために取り付けることができる。ＲＦフィルターは、導電配線、例えば電力、データ・ケーブルなどを保護する。いくつかの実施形態において、これは管路を更に穿孔することによって達成することができ、そこにおいて、これらの穿孔は、導波管ＲＦ減衰器として構成される長さおよび直径を有する。
【０１１９】
本発明の別の実施形態によれば、少なくとも一つの伸縮可能な壁を備える、上記の恒温装置の閉鎖アセンブリが開示され、そこにおいて、凹部の幅と長さの間の定量が所定の値ｎより大きいままである限り、壁は、凹部の幅、長さ、または高さの変化を可能にする。
【０１２０】
ここで、本発明の実施形態を、スケール方法を外れて、略図で例示する図１Ａを参照する。この実施形態において、管路（１００）のＵ字形形状は、互いに平角で接続される壁から成る。
【０１２１】
ここで、本発明の実施形態を、スケール方法を外れて、略図で例示する図１Ｂを参照する。この実施形態において、管路（１００）のＵ字形形状は湾曲した形状である。
【０１２２】
ここで、本発明の実施形態を、スケール方法を外れて、略図で例示する図１Ｃを参照する。この実施形態において、管路（１００）のＵ字形形状は非対称形の多角的形状である。
【０１２３】
ここで、本発明の実施形態を、スケール方法を外れて、略図で例示する図１Ｄを参照する。この実施形態において、その長手方向軸に沿った管路壁（１６）はまっすぐな平面である。
【０１２４】
ここで、本発明の実施形態を、スケール方法を外れて、略図で例示する図１Ｅを参照する。この実施形態において、その長手方向軸に沿った管路壁（１７）は湾曲した面である。
【０１２５】
ここで、本発明の実施形態を、スケール方法を外れて、略図で例示する図１Ｆを参照する。この実施形態において、その長手方向軸に沿った管路壁（１８）は多面的面である。この形状において、位置Ａから位置Ｂまで測った長さｌ１は、ケーブルまたは管（１５０）が通過する実際の長さである長さの測定値ｌ２より短い。ＲＦ減衰特性が、ｌ２のような多面的壁（１８）の累積長さを用いて算出されるので、ｌ１はより短くありえて、管路は、長さと幅との比率を所定の値ｎより大きくまだ維持する。これは、いろいろな大きさの管路を有する実施形態を可能にする。
【０１２６】
ここで、本発明の実施形態を、スケール方法を外れて、略図で例示する図２Ａを参照する。この実施形態において、管路（１００）は、ケーブル、管、または両方を組み立てるために、一つまたは複数の指定された取り付け具（２２〜２３）を更に備える。この取り付け具は、堅いか、可撓性であるか、または部分的に可撓性である。この取り付け具は、クリップ、保持具、オーガナイザー、締金、キャッチ、締着具、クランプ、ハーネス、ネスト、バンド、ベルト、ストラップなどである。加えて、これらの取り付け具はさまざまなサイズである。更に、この取り付け具は、特定の管を見つけるのを容易にするためにラベルをつけることができる。これらの取り付け具は、管路の中のケーブルの偶発的動きも減らして、患者のアクシデントによる分離を減らし、そして管路におけるケーブル、管、または両方の摩擦を減らす。各取り付け具は、一つまたは複数のケーブル、管、または両方を保持する。
【０１２７】
ここで、本発明の実施形態を、スケール方法を外れて、略図で例示する図２Ｂを参照する。この実施形態において、管路（１００）は、すべてのケーブル、管、または両方を一緒に組み立てるために、一つまたは複数の指定されたアンカー（２４）を更に備える。このアンカーは、堅いか、可撓性であるか、または部分的に可撓性である。このアンカーは、クリップ、保持具、オーガナイザー、締金、キャッチ、締着具、クランプ、ハーネス、ネスト、バンド、ベルト、ストラップなどである。加えて、いくつかの実施形態において、アンカーは大きいものである。アンカーは、管路の中のケーブルの偶発的動きを減らして、患者のアクシデントによる分離を減らし、そして管路におけるケーブル、管、または両方の摩擦を減らす。
【０１２８】
ここで、本発明の実施形態を、スケール方法を外れて、略図で例示する図２Ｃを参照する。この実施形態において、管路（１００）は、摩擦を減らすと共に、ケーブル、管、または両方の摺動を容易にするために、滑らかな湾曲した仕上げを有する医療機器の通過のための切り欠き（５５）を備える。長期にわたる高い摩擦は、ケーブル、管、または両方に損傷を与えることがありえて、過大な維持管理に更につながる。損傷したケーブル、管、または両方を用いることは、合併症につながることがありえる。
【０１２９】
ここで、本発明の実施形態を、スケール方法を外れて、略図で例示する図２Ｄを参照する。この実施形態において、管路（１００）の遠位壁（１２０）は、長手方向軸壁に機動的に接続している。この実施形態において、壁は、通過するケーブル、管、または両方の方へ、ヒンジ（１７０）で回転する角度で移動することが可能であり、それによって、それらの位置を確実にする。この接続は、ヒンジ、ジョイント、クランプ、フック、締金、ブラケット、ロック、把握具、スライド・トラック、ねじ切りモジュール、ねじ止めモジュール、リンク、フォールド、回転モジュールなどの手段による。
【０１３０】
ここで、一つの側面に切り欠き面を有する、多面的中空フレームから造られる管路（１００）を示す本発明の実施形態を、スケール方法を外れて、略図で例示する図３Ａを参照する。更にこの実施形態において、管路は、ＭＲＤ孔（５０）に面する矩形の切り欠きおよびＭＲＤ孔の外側に面する別の矩形の切り欠き（６０）を含む。これらの切り欠きは、矩形、円形、楕円、複合形状、対称形、非対称形、湾曲、多角形、多面形などのような形状でありえる。
【０１３１】
ここで、閉鎖アセンブリの典型的な配置を示す本発明の実施形態を、スケール方法を外れて、略図で例示する図３Ｂを参照する。そこでは、管路（１００）は閉鎖アセンブリ（２００）の横の輪郭に接続している。使用の間に、ＭＲＤ孔を開閉するために患者を分離する必要がないように、この実施形態は、医療機器の管およびワイヤーが閉鎖の側に沿って通過することを可能にする。この実施形態は、必要に応じて、患者の速い移動性を可能にする。
【０１３２】
ここで、患者ベッド、車輪付き担架、手術台、救急装置、輸送恒温装置などのような他の構成要素に適合する相互接続部（１２０）を有する着脱可能なモジュール管路（１００）を示す本発明の実施形態を、スケール方法を外れて、略図で例示する図３Ｃを参照する。これは、医療機器に接続されている患者のさまざまな施設への輸送を容易にする。
【０１３３】
ここで、一面に切り欠き面を有する、多面的中空フレームから造られる管路（１００）を示す本発明の実施形態を、スケール方法を外れて、略図で例示する図３Ｄを参照する。更にこの実施形態において、管路は、ＭＲＤ孔（５０）に面する矩形の切り欠きおよびＭＲＤ孔の外側に面する別の円形の切り欠き（６０）を含む。更に、管路を通過する典型的な管（１５０）が略図で示される。
【０１３４】
ここで、管路（１００）を示す本発明の実施形態を、スケール方法を外れて、略図で例示する図３Ｅを参照する。そこでは、典型的な管（１５０）は管路の底の切り欠き面（９０）および管路壁の矩形凹部（５０）を通過する。
【０１３５】
ここで、その内容全体を引用したものとする「ＭＲＩ互換の新生児の揺りかご（ＭＲＩ−ｃｏｍｐａｔｉｂｌｅ  ｎｅｏｎａｔｅ’ｓ  ｃｒａｄｌｅ）」という名称の、２０１３年５月２１日に出願されたイスラエル特許出願第２２６４８８号明細書に記載の新生児の揺りかご（７００）を収容しているＭＲＩカート（９００）に接続する閉鎖アセンブリの典型的な配置を示す本発明の実施形態を、スケール方法を外れて、略図で例示する図４Ａを参照する。そこにおいて、管路（１００）は閉鎖アセンブリの横の輪郭に接続している。この構成において、閉鎖アセンブリ部品の全ては互いと関連して定位置にあるが、ＭＲＤ孔を閉じることは、閉鎖機構を収容しているカートの移動から起こる。閉鎖アセンブリは、カートおよび／またはＭＲＤ孔と関連して閉鎖アセンブリの位置を固定するために、ラッチを収容できる。
【０１３６】
ここで、図４Ａの領域「Ａ」の拡大を示す本発明の実施形態を、スケール方法を外れて、略図で例示する図４Ｂを参照する。この実施形態において、ＭＤＲ孔を開閉するときに管の分離が必要でないように、管路（１００）は閉鎖アセンブリの輪郭に取り付けられて、典型的な管（１５０）がアセンブリの側面に沿って配置されることを可能にする。典型的な管は切り欠き（６０）を通って管路を出る。管路（８５）の高い面は閉鎖機構のＲＦ減衰特性を維持する。
【０１３７】
ここで、アーチ状管路（１００）を備えた、円筒形ＭＲＤ孔（８５０）の開口部を完全にカバーする、本発明の円形の実施形態（３００）を、スケール方法を外れて、略図で例示する図５Ａを参照する。典型的な管（１５０）は、閉鎖アセンブリの横の輪郭の一部に沿って配置される管路を通過する。
【０１３８】
ここで、どちら側でも管の分離を強制しない方法で、典型的な管（１５０）を入れたり（５０）出したり（６０）するための指定された切り欠きを備えたアーチ状管路（１００）を示す本発明の実施形態を、スケール方法を外れて、略図で例示する図５Ｂを参照する。
【０１３９】
本発明の別の実施形態によれば、ＲＦ遮蔽管路を提供することによって、ＭＲＤを外部環境によって生じるＥＭＩからＲＦ遮蔽し、そして外部環境をＭＲＤによって生じるＥＭＩからＲＦ遮蔽するための方法は、（ａ）ＭＲＤ、および少なくとも一つのＵ字形ＲＦ遮蔽管路を備えた恒温装置の閉鎖アセンブリに接続する恒温装置を得る工程であって、管路は、（ｉ）遠位および近位の封止壁（両方とも長手方向軸に対してほぼ垂直であって、上向きそして下向きである）のアレイ、および（ｉｉ）上下に向く長さおよび遠位から近位に向く幅を有する壁の間の凹部（近位壁および遠位壁の各々は反対方向に切り欠きを備え、そして凹部において、長さと幅の比率は所定の値ｎより大きい）を有する工程、（ｂ）患者を収容している恒温装置をＭＲＤ孔に嵌め込み、それによって、ＭＲＤ孔を恒温装置の閉鎖アセンブリで閉じる工程、（ｃ）患者を画像診断する工程、（ｄ）恒温装置を引き出すことによって、ＭＲＩ孔を開く工程、および（ｅ）患者を引き出す工程を含み、そこにおいて、管路は、突出しない方法で恒温装置の閉鎖アセンブリに接続し、それによって、ＭＲＤ孔と外部環境の間で直接アクセスできない。
【０１４０】
本発明の別の実施形態によれば、恒温装置の閉鎖アセンブリが閉構成にあるときに、管路の少なくとも一部がＭＲＤの開いた孔の少なくとも一部をカバーしている管路に接続する工程をさらに含む上記の方法が開示される。
【０１４１】
本発明の別の実施形態によれば、管路の対向壁の切り欠きを平行移動した位置に配置し、それによって、互いに直接面しない工程をさらに含む上記の方法が開示される。
【０１４２】
本発明の別の実施形態によれば、ＭＲＤ孔の内部空間から外部環境への医療機器の移動を可能にするサイズおよび形状によって管路を構成する工程をさらに含む上記の方法が開示される。
【０１４３】
本発明の別の実施形態によれば、ＭＲＤ孔の内部空間から外部環境への医療機器の移動を可能にするサイズおよび形状によって管路の切り欠きを構成する工程をさらに含む上記の方法が開示される。
【０１４４】
本発明の別の実施形態によれば、ケーブル、管、およびそれらのあらゆる組み合わせから成る群から選択される少なくとも一つの管路の中でＭＲＤ孔の内部空間から外部環境への移動を可能にするサイズおよび形状によって管路の凹部および切り欠きを構成する工程をさらに含む上記の方法が開示される。
【０１４５】
本発明の別の実施形態によれば、ケーブル、管、または両方の複数の形状およびサイズの管路の中での移動を可能にするサイズおよび形状によって管路の凹部および切り欠きを構成する工程をさらに含む上記の方法が開示される。
【０１４６】
本発明の別の実施形態によれば、管路の少なくとも一部を穿孔し、更にそこにおいて、穿孔は、導波管ＲＦ減衰器として構成される長さおよび直径であり、それによって、ＭＲＤへの光および空気の浸入と共にＲＦ遮蔽を可能にする工程をさらに含む上記の方法が開示される。
【０１４７】
本発明の別の実施形態によれば、管路を着脱可能なモジュールとして構成する工程をさらに含む上記の方法が開示される。
【０１４８】
本発明の別の実施形態によれば、閉鎖アセンブリとＭＲＤ孔近位端の開口の間の境界の少なくとも一部から成る位置で管路を恒温装置の閉鎖アセンブリに接続する工程をさらに含む上記の方法が開示される。
【０１４９】
本発明の別の実施形態によれば、ＲＦフィルターを管路に接続し、それによって、電気配線が外部環境からＭＲＤ孔に通ることを可能にする工程をさらに含む上記の方法が開示される。
【０１５０】
本発明の別の実施形態によれば、電磁気導電材料から管路の少なくとも一部を形成する工程をさらに含む上記の方法が開示される。
【０１５１】
本発明の別の実施形態によれば、Ｘ〜ＹＭＨｚの値の範囲で高周波の通過を減衰させるサイズ、形状、および材料によって管路を構成し、更にそこにおいて、ＸおよびＹの値は、Ｘ＞０ＭＨｚ且つＹ＜１０００ＭＨｚ、Ｘ＞０ＭＨｚ且つＹ＜５００ＭＨｚ、Ｘ＞０ＭＨｚ且つＹ＜２００ＭＨｚ、およびそれらのあらゆる組み合わせから成る群から選択される工程をさらに含む上記の方法が開示される。
【０１５２】
本発明の別の実施形態によれば、ＭＲＩ互換の新生児の揺りかごに関連してＭＲＩ互換のカートに接続するサイズおよび形状によって恒温装置の閉鎖アセンブリを構成する工程をさらに含む上記の方法が開示される。
【０１５３】
本発明の別の実施形態によれば、（ｉ）遠位および近位の封止壁（両方とも長手方向軸に対してほぼ垂直であって、上向きそして下向きである）のアレイ、および（ｉｉ）上下に向く長さおよび遠位から近位に向く幅を有する壁の間の凹部を有するＵ字形管路を備える恒温装置の閉鎖アセンブリを製造する方法は、（ａ）恒温装置の閉鎖アセンブリを得る工程、（ｂ）医療機器の移動に適合するＵ字形管路の寸法を定める工程、（ｃ）長さと幅の比率が所定の値ｎより大きいように、凹部を定める工程、（ｄ）管路を形成する工程、（ｅ）管路の遠位および近位の壁の反対方向に切り欠きを形成する工程、（ｆ）開いた長手方向面が外部環境の方へ開いているように、管路を恒温装置の閉鎖アセンブリに接続する工程を含み、そこにおいて、管路は、突出しない方法で恒温装置の閉鎖アセンブリに接続し、それによって、ＭＲＤ孔と外部の間で直接アクセスできない。
【０１５４】
本発明の別の実施形態によれば、管路に接続する工程をさらに含む上記の方法が開示され、そこにおいて、恒温装置の閉鎖アセンブリが閉構成にあるときに、管路の少なくとも一部は、ＭＲＤの開いた孔の少なくとも一部をカバーしている。
【０１５５】
本発明の別の実施形態によれば、切り欠きを管路の対向壁において平行移動した位置に配置し、それによって、互いに直接面しない工程をさらに含む上記の方法が開示される。
【０１５６】
本発明の別の実施形態によれば、ＭＲＤ孔の内部空間から外部環境への医療機器の移動ができるようにするサイズおよび形状によって管路を構成する工程をさらに含む上記の方法が開示される。
【０１５７】
本発明の別の実施形態によれば、ＭＲＤ孔の内部空間から外部環境への医療機器の移動ができるようにするサイズおよび形状によって管路の切り欠きを構成する工程をさらに含む上記の方法が開示される。
【０１５８】
本発明の別の実施形態によれば、ケーブル、管、およびそれらのあらゆる組み合わせから成る群から選択される少なくとも一つの管路の中でＭＲＤ孔の内部空間から外部環境への移動を可能にするサイズおよび形状によって管路の凹部および切り欠きを構成する工程をさらに含む上記の方法が開示される。
【０１５９】
本発明の別の実施形態によれば、ケーブル、管、または両方の複数の形状およびサイズの管路の中での移動を可能にするサイズおよび形状によって管路の凹部および切り欠きを構成する工程をさらに含む上記の方法が開示される。
【０１６０】
本発明の別の実施形態によれば、管路の中を移動する各ケーブル、管、または両方のための少なくとも一つの指定された取り付け具を接続する工程をさらに含む上記の方法が開示される。
【０１６１】
本発明の別の実施形態によれば、凹部、切り欠き、壁、およびそれらのあらゆる組み合わせから成る群から選択される管路の中の位置で少なくとも一つの指定された取り付け具を接続する工程をさらに含む上記の方法が開示される。
【０１６２】
本発明の別の実施形態によれば、少なくとも一つの指定された取り付け具にラベルをつける工程をさらに含む上記の方法が開示される。
【０１６３】
本発明の別の実施形態によれば、少なくとも一つのケーブルおよび管のアンカーを管路の中に接続する工程をさらに含む上記の方法が開示される。
【０１６４】
本発明の別の実施形態によれば、凹部、切り欠き、壁、およびそれらのあらゆる組み合わせから成る群から選択される管路の中の位置でアンカーを接続する工程をさらに含む上記の方法が開示される。
【０１６５】
本発明の別の実施形態によれば、湾曲したＵ字形形状、多角形のＵ字形形状、対称形のＵ字形形状、非対称形のＵ字形形状、およびそれらのあらゆる組み合わせから成る群から選択される形状でＵ字形管路を形成する工程をさらに含む上記の方法が開示される。加えて、または代わりに、管路形状は、実質的に、Ｕ字形、Ｃ字形、Ｖ字形、Ｗ字形、Ｅ字形、Ｎ字形、Ｇ字形などでありえる。実施形態において、管路の形状は管路の長手方向軸に沿って変化することができて、それによって、一端に一つの幾何学的形状を、そして長手方向軸に沿ったいかなる点でも少なくとも一つの第２の幾何学的形状を形成する。加えて、または代わりに、管路は、管路の長手方向軸に沿って開口サイズおよび長さと幅の比率が異なることがありえる。この実施形態において、導波管カットオフの複数の範囲は、形状および開口サイズに従って設けることができる。
【０１６６】
本発明の別の実施形態によれば、直線、曲線、多角形、対称形、非対称形、およびそれらのあらゆる組み合わせから成る群から選択される形状で長手方向軸に沿ったＵ字形管路壁を形成する工程をさらに含む上記の方法が開示される。
【０１６７】
本発明の別の実施形態によれば、機器端のいずれからも機器を分離せずに、機器の取り出しを可能にするサイズおよび形状によって管路の開いた面を構成する工程をさらに含む上記の方法が開示される。
【０１６８】
本発明の別の実施形態によれば、管路の切り欠き縁の少なくとも一部を湾曲した形状で形成する工程をさらに含む上記の方法が開示される。
【０１６９】
本発明の別の実施形態によれば、管路壁縁形状の少なくとも一部を滑らかな仕上げで形成する工程をさらに含む上記の方法が開示される。これは、ケーブルまたは管を管路に出し入れするときに管路の縁を横切るケーブルまたは管の流れるような動きを可能にし、更に医療機器部分の損耗を防止する。
【０１７０】
本発明の別の実施形態によれば、管路の少なくとも一部を穿孔し、更にそこにおいて、穿孔は、導波管ＲＦ減衰器として構成される長さおよび直径であり、それによって、ＭＲＤへの光および空気の浸入と共にＲＦ遮蔽を可能にする工程をさらに含む上記の方法が開示される。
【０１７１】
本発明の別の実施形態によれば、着脱可能なモジュールとして管路を構成する工程をさらに含む上記の方法が開示される。
【０１７２】
本発明の別の実施形態によれば、閉鎖アセンブリとＭＲＤ孔近位端の開口の間の境界の少なくとも一部から成る位置で管路を恒温装置の閉鎖アセンブリに接続する工程をさらに含む上記の方法が開示される。
【０１７３】
本発明の別の実施形態によれば、機器端のいずれからも機器を分離せずに、アセンブリがＭＲＤ孔から格納されるときに機器の取り出しを可能にするように位置決めをする工程をさらに含む上記の方法が開示される。
【０１７４】
本発明の別の実施形態によれば、ＲＦフィルターを管路に接続し、それによって、電気配線が外部環境からＭＲＤ孔に通ることを可能にする工程をさらに含む上記の方法が開示される。
【０１７５】
本発明の別の実施形態によれば、磁気遮蔽、ＲＦ遮蔽、物理的遮蔽、およびそれらのあらゆる組み合わせから成る群から選択される管路の少なくとも一部を遮蔽する工程をさらに含む上記の方法が開示される。
【０１７６】
本発明の別の実施形態によれば、電磁気導電材料から管路の少なくとも一部を形成する工程をさらに含む上記の方法が開示される。
【０１７７】
本発明の別の実施形態によれば、管路の少なくとも一部を透明材料から形成する工程をさらに含む上記の方法が開示される。
【０１７８】
本発明の別の実施形態によれば、Ｘ〜ＹＭＨｚの値の範囲で高周波の通過を減衰させるサイズ、形状、および材料によって、管路を構成し、更にそこにおいて、ＸおよびＹの値は、Ｘ＞０ＭＨｚ且つＹ＜１０００ＭＨｚ、Ｘ＞０ＭＨｚ且つＹ＜５００ＭＨｚ、Ｘ＞０ＭＨｚ且つＹ＜２００ＭＨｚ、およびそれらのあらゆる組み合わせから成る群から選択される工程をさらに含む上記の方法が開示される。
【０１７９】
本発明の別の実施形態によれば、遠位壁、近位壁、または両方を定位置にとどまる長手方向壁に機動的に接続する工程をさらに含む上記の方法が開示される。
【０１８０】
本発明の別の実施形態によれば、ＲＦ検出器システムを接続する工程をさらに含む上記の方法が開示される。更にそこにおいて、ＲＦ検出システムは、聴覚、感覚、視覚、およびそれらのあらゆる組み合わせから成る群から選択されるインジケータを備える。
【０１８１】
本発明の別の実施形態によれば、ＭＲＩ互換の新生児の揺りかごに関連してＭＲＩ互換のカートに接続するサイズおよび形状によって恒温装置の閉鎖アセンブリを構成する工程をさらに含む上記の方法が開示される。
【０１８２】
本発明の別の実施形態によれば、遠位端および近位端を有する磁気共鳴画像診断装置（ＭＲＤ）の長手方向軸に沿って伸びる開いた孔を有するＭＲＤを密閉して閉じるように構成した恒温装置の閉鎖アセンブリを提供することを特徴とする、ＲＦをＭＲＤに且つＭＲＤからリークしないで、接続された医療機器を分離せずに患者をＭＲＤにワンステップで出し入れすることをさらに可能にする、医療機器に接続する、恒温装置の中に入れられた患者を磁気共鳴画像診断するための看護プロトコルの標準が開示される。孔は近位端に位置する開口によって成端し、恒温装置が開いた孔の中に収容されるときに、孔の中に新生児の恒温装置が嵌入される。閉鎖アセンブリは、（ｉ）遠位および近位の封止壁（両方とも長手方向軸に対してほぼ垂直であって、上向きそして下向きである）のアレイ、および（ｉｉ）上下に向く長さを有し、そして遠位から近位に向く幅を有する壁の間の凹部（近位壁および遠位壁の各々は反対方向に開口を有している）を有するＵ字形管路を備え、そこにおいて、以下のうちの少なくとも一つが当てはまる。すなわち、（ａ）緊急時のＭＲＤからの患者のマルチステップでの引き出しによる患者の合併症の平均数は、恒温装置の閉鎖アセンブリを利用するときのｚ倍より大きい（ｚは１．０５以上である）、（ｂ）医療機器を患者に着脱することによるＭＲＤ関連患者の合併症の平均数は、恒温装置の閉鎖アセンブリを利用するときのｉ倍より大きい（ｉは１．０５以上である）、（ｃ）製造業者、取扱者、ユーザ、オペレータ、医療職員、医療施設、医療施設管理、または恒温装置の閉鎖アセンブリを利用するときのそれらのあらゆる組み合わせから成る群から選択される保険クレームの平均数は、患者のＭＲＩ関連保険クレームのｍ倍より小さい（ｍは１．０５以上である）、（ｄ）恒温装置の閉鎖アセンブリを利用するときのＥＭＩによって発生する人為現象による繰り返されるＭＲＩの平均数は、繰り返されるＭＲＩの平均数のｐ倍より小さい（ｐは１．０５以上である）、（ｅ）恒温装置の閉鎖アセンブリを利用するときにＭＲＩの間に医療機器に干渉するＥＭＩの報告された事件の平均数は、ＭＲＩの間に医療機器に干渉するＥＭＩの報告された事件の平均数のｓ倍より小さい（ｓは１．０５以上である）、（ｆ）恒温装置の閉鎖アセンブリを利用するときにＭＲＩの間に患者の唾液コルチゾールの平均レベルにより測定される患者の平均ストレス・レベルは、ＭＲＩの間の患者の平均ストレス・レベルのｔ倍より小さい（ｔは１．０５以上である）、（ｇ）ＥＭＩによって生じるＭＲＤ画像の人為現象による患者の合併症の平均数は、恒温装置の閉鎖アセンブリを利用するときのｒ倍より大きい（ｒは１．０５以上である）、（ｈ）医療機器に干渉するＥＭＩによる患者の合併症の平均数は、恒温装置の閉鎖アセンブリを利用するときのｕ倍より大きい（ｕは１．０５以上である）、そして（ｉ）画像診断装置に干渉するＥＭＩ事件の平均数は、恒温装置の閉鎖アセンブリを利用するときのｗ倍より大きい（ｗは１．０５以上である）。
【０１８３】
本発明は、遠位端および近位端を有する磁気共鳴画像診断装置（ＭＲＤ）の長手方向軸に沿って伸びる開いた孔を有するＭＲＤを提供し、孔は近位端に位置する開口によって成端し、孔の中に新生児の恒温装置が嵌入され、恒温装置の閉鎖アセンブリは、恒温装置が開いた孔の中に収容されるときに開口を密閉して閉じるように構成され、閉鎖アセンブリは、（ｉ）遠位および近位の封止壁（両方とも長手方向軸に対してほぼ垂直であって、上向きそして下向きである）のアレイ、および（ｉｉ）上下に向く長さを有し、そして遠位から近位に向く幅を有する壁の間の凹部（近位壁および遠位壁の各々は反対方向に切り欠きを備え、そして凹部において、長さと幅の比率は所定の値ｎより大きい）を有する少なくとも一つのＵ字形管路を備え、更にそこにおいて、管路は、突出しない方法で恒温装置の閉鎖アセンブリに接続し、このことにより、ＭＲＤ孔と外部環境の間で直接アクセスできず、更にそこにおいて、管路の切り欠きは、ＭＲＤ孔の内部空間から外部環境への医療機器の移動を可能にするサイズおよび形状により構成され、更にそこにおいて、長手方向軸に沿った管路壁は、直線、曲線、多角形、対称形、非対称形、およびそれらのあらゆる組み合わせから成る群から選択される形状であり、更にそこにおいて、管路の開いた面は、機器端のいずれからも医療機器を分離せずに、管路の中を通過する医療機器の少なくとも一部の取り出しを可能にするサイズおよび形状により構成される。
【０１８４】
本発明は、遠位端および近位端を有する磁気共鳴画像診断装置（ＭＲＤ）の長手方向軸に沿って伸びる開いた孔を有するＭＲＤを提供し、孔は近位端に位置する開口によって成端し、孔の中に新生児の恒温装置が嵌入され、恒温装置の閉鎖アセンブリは、恒温装置が開いた孔の中に収容されるときに開口を密閉して閉じるように構成され、閉鎖アセンブリは、（ｉ）遠位および近位の封止壁（両方とも長手方向軸に対してほぼ垂直であって、上向きそして下向きである）のアレイ、および（ｉｉ）上下に向く長さを有し、そして遠位から近位に向く幅を有する壁の間の凹部（近位壁および遠位壁の各々は反対方向に切り欠きを備え、そして凹部において、長さと幅の比率は所定の値ｎより大きい）を有する少なくとも一つのＵ字形管路を備え、更にそこにおいて、管路は、突出しない方法で恒温装置の閉鎖アセンブリに接続し、このことにより、ＭＲＤ孔と外部環境の間で直接アクセスできず、更にそこにおいて、管路の切り欠きは、ＭＲＤ孔の内部空間から外部環境への医療機器の移動を可能にするサイズおよび形状により構成され、更にそこにおいて、長手方向軸に沿った管路壁は、直線、曲線、多角形、対称形、非対称形、およびそれらのあらゆる組み合わせから成る群から選択される形状であり、更にそこにおいて、管路の少なくとも一部は、磁気遮蔽、ＲＦ遮蔽、物理的遮蔽、およびそれらのあらゆる組み合わせから成る群から選択される遮蔽を備え、更にそこにおいて、壁のうちの少なくとも一つは、定位置にとどまる長手方向壁に機動的に接続し、更にそこにおいて、アセンブリは、ＭＲＩ互換の新生児の揺りかごに関連してＭＲＩ互換のカートに接続するサイズおよび形状により構成される。
【０１８５】
本発明は、遠位端および近位端を有する磁気共鳴画像診断装置（ＭＲＤ）の長手方向軸に沿って伸びる開いた孔を有するＭＲＤを提供し、孔は近位端に位置する開口によって成端し、孔の中に新生児の恒温装置が嵌入され、恒温装置の閉鎖アセンブリは、恒温装置が開いた孔の中に収容されるときに開口を密閉して閉じるように構成され、閉鎖アセンブリは、（ｉ）遠位および近位の封止壁（両方とも長手方向軸に対してほぼ垂直であって、上向きそして下向きである）のアレイ、および（ｉｉ）上下に向く長さを有し、そして遠位から近位に向く幅を有する壁の間の凹部（近位壁および遠位壁の各々は反対方向に切り欠きを備え、そして凹部において、長さと幅の比率は所定の値ｎより大きい）を有する少なくとも一つのＵ字形管路を備え、更にそこにおいて、管路は、突出しない方法で恒温装置の閉鎖アセンブリに接続し、このことにより、ＭＲＤ孔と外部環境の間で直接アクセスできず、更にそこにおいて、管路の切り欠きは、ＭＲＤ孔の内部空間から外部環境への医療機器の移動を可能にするサイズおよび形状により構成され、更にそこにおいて、アセンブリは、ＭＲＩ互換の新生児の揺りかごに関連してＭＲＩ互換のカートに接続するサイズおよび形状により構成される。
【図１Ａ】
0006538706.tif 000002
【図１Ｂ】
0006538706.tif 000003
【図１Ｃ】
0006538706.tif 000004
【図１Ｄ】
0006538706.tif 000005
【図１Ｅ】
0006538706.tif 000006
【図１Ｆ】
0006538706.tif 000007
【図２Ａ】
0006538706.tif 000008
【図２Ｂ】
0006538706.tif 000009
【図２Ｃ】
0006538706.tif 000010
【図２Ｄ】
0006538706.tif 000011
【図３Ａ】
0006538706.tif 000012
【図３Ｂ】
0006538706.tif 000013
【図３Ｃ】
0006538706.tif 000014
【図３Ｄ】
0006538706.tif 000015
【図３Ｅ】
0006538706.tif 000016
【図４Ａ−４Ｂ】
0006538706.tif 000017
【図５Ａ】
0006538706.tif 000018
【図５Ｂ】
0006538706.tif 000019